(57)【特許請求の範囲】
【請求項１】
複数の球通路を有し、かつ球タンクのパチンコ球をパチンコ球払出装置に導く移送樋上に球止部材を配設してなるパチンコ機において、
前記球止部材は、前端部に前記移送樋の複数の球通路にそれぞれ突入してパチンコ球の流下を阻止する球止片を設け、後端部に軸通孔を設け、前記軸通孔に前記球通路と直交状に差渡した横軸を枢着することにより前記球止部材を球止め位置と球止め解除位置とに回動自在となるようにし、前記軸通孔を前記横軸よりも大径とすることで前記球止部材の後端部を左右方向へ揺動自在とし、
さらに、前記球止部材に係合孔を設け、前記移送樋上に係合突起を設け、前記係合孔を前記係合突起に嵌合することによって、前記球止部材を球止め解除位置に係止保持できるようにしたことを特徴とするパチンコ機における移送樋の球止構造。
【請求項２】
複数の球通路を有し、かつ球タンクのパチンコ球をパチンコ球払出装置に導く移送樋上に球止部材を配設してなるパチンコ機において、
前記球止部材は、前端部に前記移送樋の複数の球通路にそれぞれ突入してパチンコ球の流下を阻止する球止片を設け、後端部に長溝孔を設け、前記長溝孔に前記移送樋上面に設けられた環状フック片を係合することで、前記球止部材を球止め位置と球止め解除位置とに回動自在となるようにすると共に前記球止部材の後端部を左右方向へ揺動自在とし、
さらに、前記球止部材に係合孔を設け、前記移送樋上に係合突起を設け、前記係合孔を前記係合突起に嵌合することによって、前記球止部材を球止め解除位置に係止保持できるようにしたことを特徴とするパチンコ機における移送樋の球止構造。
【発明の詳細な説明】
【０００１】
【発明の属する技術分野】
本発明は、球タンクのパチンコ球をパチンコ球払出装置に導く移送樋の球止構造に関するものである。
【０００２】
【従来の技術】
従来、パチンコ機の遊技盤裏面には周知のように合成樹脂製の機構板が装着されており、該機構板の上部に球タンクが固着されている。また、球タンクの下方には該球タンク内に貯留されるパチンコ球をパチンコ球払出装置に導く移送樋が設けられており、該移送樋上に差渡した横軸に球止部材を回動自在に設けている。
【０００３】
前記球止部材は、移送樋の球通路に対応する球止片が一体に設けられており、例えばパチンコ球払出装置に球噛み等の故障が発生して修理を行う必要が生じた場合には球止部材を球止め位置に回動して球止片を移送樋の各球通路に突入させ、それによってパチンコ球の流下を阻止するようになっている。
【０００４】
【発明が解決しようとする課題】
しかしながら、従来のパチンコ機の球止部材は、球止め解除位置に係止保持ができないという問題や、例えば、２列の球通路のパチンコ球の停止位置が所定ピッチずれていると球止片を球通路に突入させることができないという問題があった。
【０００５】
本発明は上記した問題点に鑑みてなされたもので、その目的とするところは、球止部材を球止め解除位置に係止保持することができるパチンコ機における球移送樋の球止構造を提供することにある。
【０００６】
【課題を解決するための手段】
上記した目的を達成するために、本発明のパチンコ機における移送樋の球止構造は、球通路を有し、かつ球タンクのパチンコ球をパチンコ球払出装置に導く移送樋上に球止部材を配設してなるパチンコ機において、前記球止部材は、前端部に前記移送樋の球通路に突入してパチンコ球の流下を阻止する球止片を設けると共に、後端部を球止め位置と球止め解除位置とに回動自在となるに枢着してなり、さらに前記球止部材に係合孔を設け、前記移送樋上に係合突起を設け、前記係合孔を前記係合突起に嵌合することによって、前記球止部材を球止め解除位置に係止保持できるようにしたものである。
【０００７】
また、前記球止部材は、前端部に移送樋の２条の球通路にそれぞれ突入してパチンコ球の流下を阻止する２本の球止片を一体に設けると共に、後端部を左右方向へ揺動自在であり、かつ球止め位置と球止め解除位置とに回動自在なように枢着するようにしてもよい。
【０００８】
さらに、前記移送樋は、球タンクのパチンコ球を整列して導き出すタンクレール部と該タンクレール部の球圧を減少しながらパチンコ球払出装置に導くカーブレール部との二部材によって構成し、該カーブレール部に球止部材を設けるのが好ましい。
【０００９】
また、前記球止部材は、後端部に軸通孔を有する筒部を設け、該筒部の軸通孔をカーブレール部に差渡した横軸に遊挿して該球止部材を球止め位置と球止め解除位置とに回動自在とし、かつ筒部の軸通孔を横軸より大径として左右方向に揺動自在なように枢着するのが好ましい。
【００１０】
さらに、前記球止部材の後端部に長溝孔を設けると共に、カーブレール部に環状フック片を設け、球止部材の長溝孔を環状フック片に係合させることにより、該球止部材を球止め位置と球止め解除位置とに回動自在であり、かつ左右方向へ揺動自在に枢着するようにしてもよい。
【００１１】
また、球止部材を球止め解除位置に係止保持するために、球止部材に係合孔を設け、カーブレール部には球止部材の球止め解除位置で係合孔に嵌合する係合突起を設けるのが好ましい。
【００１２】
上記のように構成されたパチンコ機における移送樋の球止構造は、球止部材をパチンコ球の流下方向に対して左右方向へ自由に揺動させることができるため、例えば２列の球通路のパチンコ球の停止位置が所定ピッチずつ左右交互にずれていてもそのパチンコ球の停止位置に合わせて球止片を球通路に突入させることができ、これによって移送樋を流下するパチンコ球を確実に球止めすることが可能となる。
【００１３】
【発明の実施の形態】
次に、本発明の一実施の形態を図面に従い説明する。図１は本発明が適用されるパチンコ機の裏面図である。図において、１はパチンコ機の前面枠、２は前面枠１の裏面に着脱自在に取付けられる遊技盤、３は遊技盤２の裏面に開閉自在に装着された合成樹脂製の機構板である。
【００１４】
前記機構板３の裏面上部には球タンク４が固着されている。また、球タンク４の下方には移送樋５が設けてある。この移送樋５は球タンク４内に貯留されるパチンコ球を整列して導き出すタンクレール部５ａと下流端がパチンコ球払出装置６に接続するカーブレール部５ｂとの二部材で構成されている。このため、球タンク４のパチンコ球はタンクレール部５ａ，カーブレール部５ｂにより整列されながらパチンコ球払出装置６に連続して供給される。
【００１５】
前記タンクレール部５ａは、図２及び図３に示すように機構板３に当接する後側壁７と底壁８及び前側壁９とにより上面が開口した樋状に形成されると共に、底部８の内底面には長手方向に仕切壁１０を設けて２列の球通路１１ａ，１１ｂが形成されている。一方、前記カーブレール部５ｂは、タンクレール部５ａの球通路１１ａ，１１ｂを流下するパチンコ球の球圧を弱めるためのもので、外板１２と裏板１３との間に仕切壁１４を設けてタンクレール部５ａの球通路１１ａ，１１ｂに連通する２列の球通路１５ａ，１５ｂが形成されている。
【００１６】
前記パチンコ球払出装置６は、図６及び図７に示すように本体ベース１６と駆動モーター１７とリードスクリュー１８とによって大略構成されている。本体ベース１６には、カーブレール部５ｂの球通路１５ａ，１５ｂに接続する２列の供給通路１９ａ，１９ｂがそれぞれ形成されている。前記駆動モーター１７は、本体ベース１６にビス止めされており、これの出力軸にリードスクリュー１８が固着されている。このリードスクリュー１８は、供給通路１９ａ，１９ｂの最先端部のパチンコ球を支持する突条２０を螺旋状に設けて構成されており、該突条２０はリードスクリュー１８が回転することによって供給通路１９ａ，１９ｂの最先端部のパチンコ球を交互に１個ずつ払い出すようにその螺旋形状が選ばれる。
【００１７】
しかして、本発明では、図２に示すようにカーブレール部５ｂの上面に球止部材２１を設けると共に、カーブレール部５ｂの上面壁に透孔２２ａ，２２ｂをそれぞれ設けている。この透孔２２ａ，２２ｂは、後述する球止部材２１の球止片２３ａ，２３ｂを各球通路１５ａ，１５ｂにそれぞれ突入させるためのものである。
【００１８】
前記球止部材２１は、図４に示すように先端両側部に爪状の球止片２３ａ，２３ｂを一体に設けると共に、後端に筒部２４を形成し、該筒部２４の中心に軸通孔２５を設けている。なお、２６は回動操作用の摘み片である。
【００１９】
一方、カーブレール部５ｂの上面には球通路１５ａ，１５ｂと直交状に横軸２７が設けてあり、該横軸２７に球止部材２１の軸通孔２５を遊挿して該球止部材２１を図３実線で示す球止め解除位置と同図鎖線で示す球止め位置とに回動自在に枢着している。
【００２０】
また、前記軸通孔２５を横軸２７より大径として形成し、これによって球止部材２１を球通路１５ａ，１５ｂに対して左右方向に揺動自在なように設けている。
【００２１】
本発明は上記のように構成されており、カーブレール部５ｂの各球通路１５ａ，１５ｂを流下するパチンコ球が例えば図５（イ）に示すように並んで停止したり、同図（ロ）及び（ハ）に示すようにほぼパチンコ球の半径分ずつ交互にずれて停止するような場合であっても球止部材２１を横軸２７より大径とした軸通孔２５の範囲内で左右方向に自由に向きを変えることによって球止片２３ａ，２３ｂをパチンコ球の停止位置に合わせて各球通路１５ａ，１５ｂに突入させることができ、これによって各球通路１５ａ，１５ｂを流下するパチンコ球を確実に球止めすることができる。
【００２２】
次に、図８ないし図１１を参照して本発明の第２実施の形態について説明する。この第２実施の形態では、球止部材２８をカーブレール部５ｂの上面に軸支することなく取付け可能としたものである。なお、図８ないし図１１において前記第１実施の形態と同じ構造のものには同一符号を付して示している。これについて説明すると図８及び図１０に示すように球止部材２８は、先端両側部に爪状の球止片２９ａ，２９ｂを一体に設けると共に、後端に長溝孔３０を設けている。
【００２３】
一方、カーブレール部５ｂの上面には、弾性部材からなる環状フック片３１を一体に設け、長溝孔３０を環状フック片３１に係合させることによって球止部材２８を図９実線で示す球止め解除位置と同図鎖線で示す球止め位置とに回動自在であり、かつ左右方向へ揺動自在に枢着している。
【００２４】
なお、この第２実施の形態では球止部材２８に係合孔３２を設け、カーブレール部５ｂの上面には係合突起３３を設け、係合孔３２を係合突起３３に嵌合することによって球止部材２８を球止め解除位置に係止保持できるようになっている。その他の構成は第１実施の形態と同じである。
【００２５】
しかして、カーブレール部５ｂの各球通路１５ａ，１５ｂを流下するパチンコ球が例えば図１１（イ）に示すように並んで停止したり、同図（ロ）及び（ハ）に示すようにパチンコ球のほぼ半径分ずつ交互にずれて停止するような場合であっても、球止部材２８を長溝孔３０の範囲内で左右方向に自由に向きを変えることによって球止片２９ａ，２９ｂをパチンコ球の停止位置に合わせて透孔２２ａ，２２ｂから各球通路１５ａ，１５ｂに自由に突入させることができ、これによって各球通路１５ａ，１５ｂを流下するパチンコ球を確実に球止めすることができる。
【００２６】
上記した構成からなる実施の形態に示したものは、以下のように従来技術の問題点を解決している。すなわち、従来のパチンコ機に使用されているパチンコ球払出装置は、外周にパチンコ球を受け入れる複数の凹状の球受部が形成されたスプロケット或いは外周にパチンコ球を支持する突条が螺旋状に形成されたリードスクリューをモーターで回転させることにより移送樋の球通路のパチンコ球を１個ずつ払い出す構造になっている。すなわち、移送樋の球通路が例えば２列の場合、各球通路のパチンコ球はスプロケット或いはリードスクリューの回転に伴ない所定ピッチ（例えばパチンコ球の半径分）ずつ交互に移動しながら１個ずつ払い出されるものであるから、パチンコ球の払い出し個数によって２列の球通路のパチンコ球の停止位置が左右交互にずれることになる。しかし、従来の球止部材のように球止片による球止め位置が常に決められているものでは、パチンコ球の停止位置によっては球止片が球通路のパチンコ球に突き当って球止めすることができないという問題点があった。本実施の形態に示すものは、上記した問題点に鑑みなされたもので、その目的とするところは、２列の球通路のパチンコ球がそれぞれ所定ピッチずつ左右交互にずれた状態で停止されるような場合であっても確実に球止めすることができるようなパチンコ機における移送樋の球止構造としている。よって、本実施の形態に示したものは、球止部材を左右方向へ揺動自在であり、かつ球止め位置と球止め解除位置とに回動自在なように設けるようにしていることから、球通路のパチンコ球が所定ピッチずつ交互にずれて停止してもその停止位置に関係なく容易かつ確実に球止めすることができる。
【００２７】
【発明の効果】
以上、説明したところから明らかなように、本発明に係るパチンコ機における移送樋の球止構造は、球止部材を球止め位置と球止め解除位置とに回動自在に枢着し、また、前記球止部材に係合孔を設けると共に、前記移送樋上に係合突起を設け、球止め解除位置で前記係合孔と前記係合突起が嵌合することによって球止部材を球止め解除位置に係止保持することができる。また、複数の球通路のパチンコ球の停止位置が所定ピッチずれていてもパチンコ球の停止位置に合わせて球止片を球通路に突入させることができる。
【図面の簡単な説明】
【図１】本発明が適用されるパチンコ機の裏面図である。
【図２】球止部材の取付け状態を示す要部斜視図である。
【図３】球止部材の取付け状態を示す要部断面図である。
【図４】球止部材の斜視図である。
【図５】球止部材の作用を説明する平面図で、（イ）は２列の球通路にパチンコ球が並んで停止した状態、（ロ），（ハ）はパチンコ球が半径分ずつ交互にずれて停止した状態を示すものである。
【図６】パチンコ球払出装置の斜視図である。
【図７】パチンコ球払出装置の断面図である。
【図８】第２実施の形態に係る球止部材の取付け状態を示す要部斜視図である。
【図９】図８の球止部材の取付け状態を示す要部断面図である。
【図１０】図８の球止部材の斜視図である。
【図１１】第２実施の形態に係る球止部材の作用を説明する平面図で、（イ）は２列の球通路にパチンコ球が並んで停止した状態、（ロ），（ハ）はパチンコ球が半径分ずつ交互にずれて停止した状態を示すものである。
【符号の説明】
４                              球タンク
５                              移送樋
６                              パチンコ球払出装置
１１ａ，１１ｂ                  球通路
２１，２８                      球止部材
２３ａ，２３ｂ，２９ａ，２９ｂ  球止片
３２                            係合孔
３３                            係合突起
【図１】
0003911214.tif 000002
【図２】
0003911214.tif 000003
【図３】
0003911214.tif 000004
【図４】
0003911214.tif 000005
【図５】
0003911214.tif 000006
【図６】
0003911214.tif 000007
【図７】
0003911214.tif 000008
【図８】
0003911214.tif 000009
【図９】
0003911214.tif 000010
【図１０】
0003911214.tif 000011
【図１１】
0003911214.tif 000012